(57)【特許請求の範囲】
【請求項１】
光源と、
前記光源を保持して照明器具の器具本体に取り付けられる取付部材と、
前記光源を囲い、前記光源から放射される光を透過するように構成されたカバーとを備え、
前記カバーは、
前記光源の前方に位置する透光部を含み、前後方向と直交する方向である特定方向から見た形状が筒状であり、かつ前記特定方向の第１端及び第２端のうち少なくとも前記第１端が開口するカバー本体と、
前記カバー本体の前記第１端に取り付けられるカバーエンドと、
前記カバー本体及び前記カバーエンドの一方から突出し、前記カバー本体及び前記カバーエンドの他方の内部に差し込まれる差込部と、
前記差込部と連続し、外部から溶剤を注入可能に構成された溶剤注入部とを有している
ことを特徴とする光源ユニット。
【請求項２】
前記カバーは、前記取付部材を介して前記器具本体に取り付けられた状態において少なくとも一部が前記器具本体に覆われており、
前記溶剤注入部は、前記カバーのうち前記器具本体に覆われる部位に設けられている
ことを特徴とする請求項１記載の光源ユニット。
【請求項３】
前記カバーは、複数の前記溶剤注入部を有している
ことを特徴とする請求項１又は２記載の光源ユニット。
【請求項４】
請求項１〜３のいずれか１項に記載の光源ユニットと、
前記取付部材が取り付けられることで前記光源ユニットを保持する器具本体とを備えている
ことを特徴とする照明器具。
【発明の詳細な説明】
【技術分野】
【０００１】
本発明は、光源ユニット及び照明器具に関し、より詳細には、光源の光を透過させるカバーを備えた光源ユニット、及び当該光源ユニットを備えた照明器具に関する。
【背景技術】
【０００２】
従来、天井などに取り付けられて室内を照明する照明器具が提供されている（例えば特許文献１参照）。特許文献１に記載の照明器具は、光源モジュールと、器具本体とを備える。器具本体は、光源モジュールを支持し、ネジなどによって天井に取り付けられる。
【０００３】
光源モジュールは、支持体と、カバーと、保持部材と、一対の側板とを備える。支持体は、表面に複数の光源が実装された基板を支持する。カバーは、支持体に取り付けられ、支持体に支持された基板を覆う。保持部材は、カバーを支持体に保持する。一対の側板は、カバーの長手方向における両端に取り付けられる。
【０００４】
また、カバーの支持体との対向面は開口している。そのため、カバーに側板を取り付けた状態において、カバーと側板との接合部分に内側から接着剤を塗布することができ、接着剤によって外観が損なわれないように構成されている。
【先行技術文献】
【特許文献】
【０００５】
【特許文献１】特開２０１４−２２９６０９号公報
【発明の概要】
【発明が解決しようとする課題】
【０００６】
ところで、特許文献１に記載のような照明器具においてカバー（カバー本体）の形状が筒状である場合、側板（カバーエンド）をカバー本体に取り付けた状態ではカバー本体とカバーエンドとの接合部分に内側から接着剤を塗布することができない。そのため、この場合には、カバー本体とカバーエンドとの接合部分に外側から接着剤を塗布することになり、接着剤が外表面に付着することによって外観が損なわれる可能性があった。
【０００７】
本発明は上記課題に鑑みてなされており、外観を損なわないようにしながらもカバー本体とカバーエンドとの接合強度を高めることができる光源ユニット及び照明器具を提供することを目的とする。
【課題を解決するための手段】
【０００８】
本発明の一態様に係る光源ユニットは、光源と、取付部材と、カバーとを備えている。前記取付部材は、前記光源を保持して照明器具の器具本体に取り付けられる。前記カバーは、前記光源を囲い、前記光源から放射される光を透過するように構成されている。前記カバーは、カバー本体と、カバーエンドと、差込部と、溶剤注入部とを有している。前記カバー本体は、前記光源の前方に位置する透光部を含み、前後方向と直交する方向である特定方向から見た形状が筒状であり、かつ前記特定方向の第１端及び第２端のうち少なくとも前記第１端が開口している。前記カバーエンドは、前記カバー本体の前記第１端に取り付けられる。前記差込部は、前記カバー本体及び前記カバーエンドの一方から突出し、前記カバー本体及び前記カバーエンドの他方の内部に差し込まれる。前記溶剤注入部は、前記差込部と連続し、外部から溶剤を注入可能に構成されている。
【０００９】
本発明の一態様に係る照明器具は、上述の光源ユニットと、器具本体とを備えている。前記器具本体は、前記取付部材が取り付けられることで前記光源ユニットを保持する。
【発明の効果】
【００１０】
本発明は、外観を損なわないようにしながらもカバー本体とカバーエンドとの接合強度を高めることができる、という効果がある。
【図面の簡単な説明】
【００１１】
【図１】図１は、本発明の実施形態１に係る照明器具及び光源ユニットの斜視図である。
【図２】図２は、同上の照明器具及び光源ユニットの分解斜視図である。
【図３】図３は、同上の照明器具の光源ユニットを外した状態の正面図である。
【図４】図４は、同上の光源ユニットのカバーエンドを省略した側面図である。
【図５】図５は、同上の光源ユニットのカバーを示し、カバー本体にカバーエンドを装着する前の斜視図である。
【図６】図６は、同上の光源ユニットのカバーを示し、カバー本体にカバーエンドを装着した後の斜視図である。
【図７】図７は、同上の光源ユニットのカバーエンドの斜視図である。
【図８】図８は、本発明の実施形態２に係る照明器具及び光源ユニットの斜視図である。
【発明を実施するための形態】
【００１２】
以下、本発明の実施形態に係る光源ユニット及び照明器具について、図面を参照して具体的に説明する。以下に説明する実施形態１及び実施形態２の照明器具は、例えば、建物の避難経路となる階段の踊り場の壁面に設置される照明器具（いわゆる階段通路誘導灯）である。なお、以下の実施形態１，２で説明する構成は本発明の一例にすぎない。本発明は、以下の実施形態１，２に限定されず、本発明に係る技術的思想を逸脱しない範囲であれば、設計等に応じて種々の変更が可能である。
【００１３】
（実施形態１）
本発明の実施形態１に係る照明器具９Ａは、図１及び図２に示すように、光源ユニット１と、器具本体３とを備えている。また、照明器具９Ａは、２つの非常用光源ユニット２と、非常用電源ユニット４と、制御ユニット５と、電池ユニット６と、人検知ユニット７とを備えていることが好ましい。なお、以下の説明では、特に断りのない限り、図１に示す向きにおいて、光源ユニット１及び照明器具９Ａの上下、左右及び前後の各方向を規定する。すなわち、照明器具９Ａが階段の踊り場の壁面に設置された状態において、鉛直方向を上下方向とし、壁面の法線方向を前後方向とし、正面から見て左右方向を左右方向とする。ただし、これらの方向は光源ユニット１及び照明器具９Ａの使用方向を規定する趣旨ではない。また、図面中の各方向を示す矢印は説明のために表記しているに過ぎず、実体を伴わない。
【００１４】
器具本体３は、長尺の矩形平板状に形成された背板３０と、長尺の矩形平板状に形成された上板３１及び下板３２とを有している（図２参照）。上板３１は、背板３０の上端における長手方向の両端部を除く部分から背板３０の法線方向に沿って前方へ突出するように形成されている。同じく、下板３２は、背板３０の下端における長手方向の両端部を除く部分から背板３０の法線方向に沿って前方へ突出するように形成されている。すなわち、本実施形態の器具本体３では、上板３１及び下板３２の長手方向（左右方向）の寸法が、背板３０の長手方向の寸法よりも短い。なお、背板３０と上板３１及び下板３２とは、金属板が曲げ加工されることで一体に形成されることが好ましい（図２参照）。
【００１５】
背板３０は、複数（図示例では４つ）の長孔３００を有している。これらの長孔３００は、背板３０の長手方向に沿って間隔を空けて設けられている（図３参照）。これらの長孔３００には、それぞれ、踊り場の壁（コンクリート壁）に埋設されているアンカーボルトが挿通される。そして、これらのアンカーボルトにナットが締め付けられることによって、器具本体３がコンクリート壁に固定される。また、背板３０の長手方向のほぼ中央には、複数（図示例では２つ）の丸孔３０１が長手方向に並ぶように設けられている（図３参照）。これらの丸孔３０１には、常用電源（商用電源）からの給電用の給電線が挿通される。さらに、背板３０の前面における丸孔３０１の近傍には、複数（図示例では３つ）の端子台３３が取り付けられている。これらの端子台３３には、丸孔３０１から引き込まれる給電線や、建物に設置されている自動火災報知設備から火災信号を受信するための信号線などが電気的に接続される。
【００１６】
電池ユニット６は、ニッケル水素電池などの２次電池を複数有し、これら複数の２次電池が合成樹脂成形体のケースに収容されて構成される。この電池ユニット６は、背板３０の前面における左端の部位に取り付けられることが好ましい（図３参照）。
【００１７】
非常用電源ユニット４は、充電回路と、点灯回路とを有している。充電回路は、常用電源から給電される交流電力を直流電力に変換し、変換した直流電力により電池ユニット６を充電する。点灯回路は、常用電源が停電したときに電池ユニット６から非常用光源ユニット２に供給される直流電流を調整する。さらに、非常用電源ユニット４は、後述する点検スイッチが押操作されたときに、充電回路を強制的に停止し、かつ、電池ユニット６から給電される直流電力で点灯回路に非常用光源ユニット２を点灯させるように構成される。この非常用電源ユニット４は、背板３０の前面における右端の部位に取り付けられることが好ましい（図３参照）。
【００１８】
点検スイッチは、図３に示すように、合成樹脂製の箱体４０に収容され、下板３２の左端近傍に取り付けられることが好ましい。なお、箱体４０内には、押釦スイッチからなる点検スイッチの他に、赤外線を媒体とするワイヤレス信号を受信する受光素子などが収容されている。箱体４０の下面には、複数の孔４００が設けられている（図１参照）。そして、これらの孔４００を通して点検スイッチの押釦の押操作や、受光素子によるワイヤレス信号の受信が可能となっている。なお、非常用電源ユニット４は、受光素子でワイヤレス信号を受信した場合も、点検スイッチが押操作されたときと同じく、充電回路を強制的に停止し、かつ、電池ユニット６から給電される直流電力で点灯回路に非常用光源ユニット２を点灯させる。
【００１９】
人検知ユニット７は、図１〜図３に示すように、電波センサ７０と、センサ取付台７１とを有している。電波センサ７０は、ミリ波帯の電波を媒体として人（移動体）を検知し、人を検知したときに人検知信号を制御ユニット５に出力するように構成されている。センサ取付台７１は、電波センサ７０を保持し、器具本体３の下板３２における長手方向の中央に取り付けられる。
【００２０】
制御ユニット５は、常用電源から給電されて動作し、人検知ユニット７（の電波センサ７０）から出力される人検知信号に応じて、光源ユニット１を制御するように構成されている。制御ユニット５は、人検知ユニット７から人検知信号が出力されているとき、定格点灯するように指示するための制御信号を光源ユニット１に出力する。また、制御ユニット５は、人検知信号が出力されなくなってから所定の待機時間（例えば、数十秒から数分）が経過したとき、消灯又は定格点灯時よりも少ない光量で点灯するように指示するための制御信号を光源ユニット１に出力する。ただし、制御ユニット５は、常用電源が停電したときは全ての動作を停止する。
【００２１】
光源ユニット１は、図２及び図４に示すように、ＬＥＤモジュール（光源）１０と、取付部材１１と、カバー１２とを備えている。また、光源ユニット１は、電源ユニット１３を備えていることが好ましい。取付部材１１は、ＬＥＤモジュール１０が取り付けられる。カバー１２は、ＬＥＤモジュール１０を覆うようにして取付部材１１に取り付けられる。電源ユニット１３は、ＬＥＤモジュール１０に直流電力を供給する。
【００２２】
ＬＥＤモジュール１０は、長尺の矩形板状に形成された実装基板１００を有している。実装基板１００の前面には、複数のＬＥＤ（発光ダイオード）１０１が左右方向（長手方向）に沿って１列に並ぶように実装されている（図２参照）。実装基板１００の左側の端部にはコネクタが実装されている。このコネクタは、実装基板１００に形成されている導体と、電源ユニット１３の出力線とを電気的に接続するように構成されている。
【００２３】
取付部材１１は、板金によってＵ字状に形成されている。取付部材１１は、長尺かつ矩形板状に形成された底板１１０と、底板１１０の上端及び下端からそれぞれ後方に突出する一対の側板１１１とを有している（図２及び図４参照）。これら一対の側板１１１の後端には、図４に示すように、互いに離れる向き（外向き）に湾曲する引掛部１１２がそれぞれ全長に亘って設けられている。なお、上述したＬＥＤモジュール１０は、例えば、取付部材１１の底板１１０の一部を切り起こすことで形成された爪１１５により、取付部材１１に固定される（図４参照）。
【００２４】
また、取付部材１１は、長手方向における両端寄りの位置において、鉤形の先端を上側の引掛部１１２よりも後方に突出させた一対の引掛金具１１３（図２参照）と、下側の側板１１１に沿って配置された一対の引掛ばね１１４（図４参照）とを有している。一対の引掛ばね１１４は、それぞれ、ねじりコイルばねで構成されている（図４参照）。
【００２５】
電源ユニット１３は、常用電源から供給される交流電力を直流電力に変換し、変換した直流電力をＬＥＤモジュール１０に供給するように構成されている。また、電源ユニット１３は、制御ユニット５から出力される制御信号に応じて、ＬＥＤモジュール１０に供給する直流電力を増減するように構成されている。つまり、電源ユニット１３は、定格点灯するように指示するための制御信号を制御ユニット５から受け取ると、定格の直流電力（直流電流）をＬＥＤモジュール１０に供給する。また、電源ユニット１３は、消灯又は定格点灯時よりも少ない光量で点灯するように指示するための制御信号を制御ユニット５から受け取ると、ＬＥＤモジュール１０への直流電力の供給を停止し、又は定格よりも少ない直流電力を供給する。電源ユニット１３は、取付部材１１の後面側において、ねじなどを用いて側板１１１に取り付けられる（図４参照）。
【００２６】
カバー１２は、図２、図５及び図６に示すように、カバー本体１４と、一対のカバーエンド１５とを有している。カバー本体１４は、透光性を有する合成樹脂（例えば、ポリカーボネート樹脂やアクリル樹脂等）により、長手方向（左右方向）における両端（第１端１４１及び第２端１４２）が開放された角筒状に形成されている（図４参照）。なお、図４は、第１端１４１及び第２端１４２のうち第１端１４１側から見た光源ユニット１を図示している。
【００２７】
ここで、カバー本体１４の後方の壁に設けられている半円筒形の部分を第１透光部（透光部）１６と呼ぶ。また、カバー本体１４の前方の壁を第２透光部１７と呼ぶ（図４参照）。さらに、第１透光部１６の上端と第２透光部１７の上端とを連結しているＬ字形の部分、並びに、第１透光部１６の下端と第２透光部１７の下端とを連結しているＬ字形の部分のそれぞれを連結部１８と呼ぶ。なお、カバー本体１４は、一対の突壁部１２０を有している。一対の突壁部１２０は、上側の連結部１８及び下側の連結部１８のそれぞれの後面から後方へ突出するように、カバー本体１４の長手方向（左右方向）の全長に亘って設けられている。また、これら一対の突壁部１２０の後端には、内向き（上側の突壁部１２０では下向き、下側の突壁部１２０では上向き）に突出する突起部１２１がそれぞれ設けられている（図４参照）。カバー１２は、一対の突壁部１２０の突起部１２１がそれぞれ、取付部材１１の一対の側板１１１のうちの対応する側板１１１の引掛部１１２に引っ掛かることにより、取付部材１１の前面を被うように取付部材１１に取り付けられる。
【００２８】
第１透光部１６、第２透光部１７、連結部１８、一対の突壁部１２０及び一対の突起部１２１は、透光性を有する合成樹脂（例えば、ポリカーボネート樹脂やアクリル樹脂等）で一体に形成されている。ただし、少なくとも角筒状の部分（第１透光部１６、第２透光部１７、連結部１８）には、例えば、アクリル樹脂やシリコーン樹脂の微粒子を原料とする光拡散剤が混入されている。そして、第１透光部１６及び第２透光部１７の光透過率は、光拡散剤の混入量に応じて調整可能である。第２透光部１７は、例えば、光透過率が６０［％］〜７０［％］になる程度の光拡散剤が混入されることが好ましい。一方、第１透光部１６は、場所（部位）によって光透過率を変えるように構成されることが好ましい。すなわち、第１透光部１６は、ＬＥＤモジュール１０（のＬＥＤ１０１）との距離が相対的に近い第１領域１６０と、第１領域１６０の上側及び下側の第２領域１６１とに分けられている。ただし、第１領域１６０は、第２透光部１７と連結部１８の連結箇所１８０と、ＬＥＤ１０１（の発光面の中心）とを結ぶ直線αが第１透光部１６と交差する箇所１６２よりもＬＥＤ１０１との距離が近い領域であることが好ましい（図４参照）。そして、第１領域１６０は、光透過率が５０［％］〜６０［％］（より好ましくは、５５［％］〜５６［％］）になる程度の光拡散剤が混入されることが好ましい。また、第２領域１６１は、光透過率が７０［％］〜８０［％］になる程度の光拡散剤が混入されることが好ましい。なお、第１透光部１６の第１領域１６０の厚みと、第１透光部１６の第２領域１６１の厚みとが異なっていてもよい。ただし、カバー本体１４は、上述のように光拡散剤の混入量が部位（第１透光部１６の第１領域１６０と第２領域１６１、第２透光部１７）毎に異なっていても、多色成形（例えば、多色押出成形）によって一体に成形可能である。
【００２９】
一対のカバーエンド１５は、それぞれ、カバー本体１４を形成する材料と同じ材料により矩形板状に形成された蓋本体１５０を有している。蓋本体１５０の一面には、図７に示すように、蓋本体１５０の厚み方向に突出する差込部１５１と支持部１５３とが一体に設けられている。支持部１５３は、蓋本体１５０の後端縁において長手方向の中央位置から蓋本体１５０の厚み方向に突出し、かつ蓋本体１５０の長手方向に沿って形成されている。支持部１５３は、カバー１２が取付部材１１に取り付けられた状態において、取付部材１１の底板１１０が載置される。差込部１５１は、第１突片１５１１と、第２突片１５１２と、第３突片１５１３と、一対の第４突片１５１４とを有している。第１突片１５１１は、蓋本体１５０の前端縁において蓋本体１５０の厚み方向に突出し、かつ蓋本体１５０の長手方向に沿って形成されている。第２突片１５１２は、蓋本体１５０の上端縁において蓋本体１５０の厚み方向に突出し、かつ蓋本体１５０の短手方向に沿って形成されている。第３突片１５１３は、蓋本体１５０の下端縁において蓋本体１５０の厚み方向に突出し、かつ蓋本体１５０の短手方向に沿って形成されている。一対の第４突片１５１４は、蓋本体１５０の後端縁において蓋本体１５０の厚み方向に突出し、かつ蓋本体１５０の長手方向における支持部１５３の両側にそれぞれ形成されている。これらの第１突片１５１１、第２突片１５１２、第３突片１５１３及び一対の第４突片１５１４は、蓋本体１５０の外縁に沿って連続的に形成されている（図７参照）。また、蓋本体１５０における一対の第４突片１５１４との連接部分には、一対の溶剤注入部１５２が設けられている。一対の溶剤注入部１５２は、それぞれ、後方から見た形状が矩形状の凹所であり、対応する第４突片１５１４と連続するように形成されている。
【００３０】
一対のカバーエンド１５のうち一方のカバーエンド１５は、差込部１５１がカバー本体１４の内部に差し込まれた状態でカバー本体１４の左側の第１端１４１に取り付けられる。また、一対のカバーエンド１５のうち他方のカバーエンド１５は、差込部１５１がカバー本体１４の内部に差し込まれた状態でカバー本体１４の右側の第２端１４２に取り付けられる（図２及び図６参照）。なお、カバーエンド１５をカバー本体１４に取り付ける手順については後述する。
【００３１】
上述の光源ユニット１は、一対の引掛金具１１３のそれぞれの先端部分を、器具本体３の上板３１に設けられた受け金具３１０（図３参照）に引っ掛けることで器具本体３に仮保持される。そして、光源ユニット１は、一対の引掛ばね１１４の腕部が、器具本体３の下板３２に設けられた引掛板３２０の溝３２００（図３参照）の縁に引っ掛けられることで器具本体３に取り付けられる（図１参照）。
【００３２】
非常用光源ユニット２は、図２に示すように、非常用ＬＥＤモジュール２０と、取付台２１と、ユニットカバー２２とを備えている。非常用ＬＥＤモジュール２０は、非常照明用の光源であるＬＥＤ、ＬＥＤから放射される光の配光を制御するレンズ２０１などを有している。取付台２１は、一対の側壁２１０と、これら一対の側壁２１０同士を連結する連結片とを有している。一対の側壁２１０の各々は、矩形板状に形成されている。非常用ＬＥＤモジュール２０は、連結片の前面に取り付けられている。ユニットカバー２２は、取付台２１の連結片の前面、上面及び下面を覆うようにして取付台２１に取り付けられる。なお、非常用ＬＥＤモジュール２０のレンズ２０１は、ユニットカバー２２に設けられた窓孔２２３０を通して前方に突出している（図２参照）。
【００３３】
２つの非常用光源ユニット２のうちの一方の非常用光源ユニット２は、器具本体３の長手方向の一端（左端）に取り付けられる。また、２つの非常用光源ユニット２のうちの他方の非常用光源ユニット２は、器具本体３の長手方向の他端（右端）に取り付けられる。つまり、２つの非常用光源ユニット２は、長尺の器具本体３の長手方向の両端に１つずつ配置される（図１参照）。
【００３４】
光源ユニット１が点灯すると、ＬＥＤモジュール１０（のＬＥＤ１０１）から放射される光がカバー１２を透過して前方へ照射される。このとき、カバー本体１４の第２透光部１７の短手方向（上下方向）の中央部分は、第２透光部１７の短手方向の両端よりもＬＥＤ１０１との距離が相対的に短いため、第２透光部１７の短手方向の両端よりも輝度が高くなりやすい。
【００３５】
そこで、本実施形態の光源ユニット１では、カバー本体１４の第１透光部１６における第１領域１６０の光透過率を、第１透光部１６における第２領域１６１よりも低くしている。言い換えると、本実施形態の光源ユニット１では、カバー本体１４の第１透光部１６における第１領域１６０で光（ＬＥＤモジュール１０から放射される光）が拡散される割合を、第１透光部１６における第２領域１６１で光が拡散される割合よりも高くしている。その結果、本実施形態の光源ユニット１では、第１透光部１６の第１領域１６０で拡散されずに第２透光部１７の中央部分を通過する光を減少させ、外観に現れるカバー１２（の第２透光部１７）の輝度の均斉度の向上を図ることができる。ただし、第１透光部１６の第１領域１６０が広すぎると、第２透光部１７を通過する光量が減少しすぎてしまう可能性がある。したがって、第１領域１６０は、図４において２点鎖線で示す直線αが第１透光部１６と交差する箇所１６２よりもＬＥＤ１０１との距離が近い領域であることが好ましい。第１領域１６０が２本の直線αに挟まれた範囲よりも狭い領域にあれば、外観に現れるカバー１２の輝度の均斉度の向上を図りつつ、第２透光部１７を通過する光量の減少を抑えることができる。
【００３６】
ところで、本実施形態の光源ユニット１のように、カバー本体１４が角筒状に形成されていると、カバー本体１４にカバーエンド１５を取り付けた状態ではカバー本体１４とカバーエンド１５との接合部分に内側から接着剤を塗布することができない。そのため、この場合には、カバー本体１４とカバーエンド１５との接合部分に外側から接着剤を塗布することになり、カバー１２の外表面に接着剤が付着することで外観が損なわれる可能性があった。
【００３７】
そこで、本実施形態の光源ユニット１では、カバー１２の外観が損なわれないように、カバー本体１４とカバーエンド１５とを接合する溶剤を注入するための溶剤注入部１５２を設けている。以下、カバーエンド１５をカバー本体１４に取り付ける手順について説明する。
【００３８】
作業者は、図５に示すように、差込部１５１側の面がカバー本体１４側となるようにカバーエンド１５の向きを合わせた状態で、カバーエンド１５をカバー本体１４に取り付ける。このとき、カバーエンド１５の差込部１５１がカバー本体１４の内部に差し込まれる（図６参照）。その後、作業者は、溶剤注入部１５２に溶剤（例えば、ジクロロエタンやテトラヒドロフラン等）を注入する。例えば、上側の溶剤注入部１５２に溶剤を注入した場合には、毛細管現象によって上側の第４突片１５１４に溶剤が流れ込み、さらに第４突片１５１４から第２突片１５１２へと溶剤が流れ込む。第２突片１５１２及び第４突片１５１４に流れ込んだ溶剤は、第２突片１５１２及び第４突片１５１４の一部と、これらの突片と対向するカバー本体１４の内周面の一部とを溶かすことでカバーエンド１５をカバー本体１４に溶着させる。このとき、カバー本体１４とカバーエンド１５とが、カバー本体１４の内部で接合するため、カバー１２の外表面に溶剤が流れ出ることがなく、カバー１２の外観が損なわれない。なお、下側の溶剤注入部１５２についても同様であるから、ここでは説明を省略する。
【００３９】
また、本実施形態の光源ユニット１では、溶剤注入部１５２がカバーエンド１５の蓋本体１５０の後面に設けられており、光源ユニット１を器具本体３に取り付けた状態では、溶剤注入部１５２が器具本体３により覆われている。したがって、光源ユニット１を器具本体３に取り付けた状態では溶剤注入部１５２が光源ユニット１の外観に現れることがなく、外観が損なわれないという利点がある。
【００４０】
さらに、本実施形態の光源ユニット１のように、１つのカバーエンド１５に対して複数（図示例では２つ）の溶剤注入部１５２を設けた場合には、溶剤注入部１５２が１つである場合に比べて、カバー本体１４とカバーエンド１５との接合強度を高めることができる。
【００４１】
（実施形態２）
本発明の実施形態２に係る照明器具９Ｂについて図８を参照して説明する。本実施形態の光源ユニット１は、実施形態１の光源ユニット１と同様である。本実施形態の器具本体３は、実施形態１の器具本体３に比べて、前後方向の厚みが薄く、かつ上下方向の幅が広く（背が高く）形成されている。同様に、本実施形態の非常用光源ユニット２は、実施形態１の非常用光源ユニット２に比べて、取付台２１及びユニットカバー２２の厚みが薄く、かつ幅が広く形成されている。
【００４２】
ここで、本実施形態の照明器具９Ｂでは、図８に示すように、カバー１２の後面だけでなく上面及び下面も器具本体３に覆われている。したがって、溶剤注入部１５２は、カバーエンド１５の後面側でなく、上面側又は下面側に設けられていてもよい。言い換えると、溶剤注入部１５２は、カバーエンド１５のうち器具本体３に覆われる部位に設けられていればよい。この場合も同様に、溶剤注入部１５２が外観に現れないため、照明器具９Ｂの外観が損なわれないという利点がある。さらに、この場合には、カバーエンド１５の後面側、上面側及び下面側のいずれかに溶剤注入部１５２が設けられていればよく、実施形態１の光源ユニット１に比べて、溶剤注入部１５２の配置の自由度が向上するという利点がある。
【００４３】
（効果）
以上説明したように、上述の実施形態１，２の光源ユニット１は、光源（ＬＥＤモジュール１０）と、取付部材１１と、カバー１２とを備えている。取付部材１１は、光源を保持して照明器具９Ａ，９Ｂの器具本体３に取り付けられる。カバー１２は、光源を囲い、光源から放射される光を透過するように構成されている。カバー１２は、カバー本体１４と、カバーエンド１５と、差込部１５１と、溶剤注入部１５２とを有している。カバー本体１４は、光源の前方に位置する透光部（第１透光部１６）を含み、前後方向と直交する方向である特定方向（図３の左右方向）から見た形状が筒状であり、かつ特定方向の第１端１４１及び第２端１４２のうち少なくとも第１端１４１が開口している。カバーエンド１５は、カバー本体１４の第１端１４１に取り付けられる。差込部１５１は、カバー本体１４及びカバーエンド１５の一方から突出し、カバー本体１４及びカバーエンド１５の他方の内部に差し込まれる。溶剤注入部１５２は、差込部１５１と連続し、外部から溶剤を注入可能に構成されている。この構成によれば、差込部１５１と溶剤注入部１５２とが連続しており、溶剤注入部１５２に注入された溶剤を差込部１５１へと流し込むことができ、この溶剤によってカバー本体１４とカバーエンド１５とを接合させることができる。また、カバー本体１４とカバーエンド１５とを内部で接合させるため、カバー１２の外表面に溶剤が流れ出ることがなく、外観が損なわれない。すなわち、上述の実施形態１，２の光源ユニット１によれば、外観を損なわれないようにしながらもカバー本体１４とカバーエンド１５との接合強度を高めることができる。
【００４４】
また、上述の実施形態１，２の光源ユニット１のように、カバー１２は、取付部材１１を介して器具本体３に取り付けられた状態において少なくとも一部が器具本体３に覆われていることが好ましい。そして、溶剤注入部１５２は、カバー１２のうち器具本体３に覆われる部位に設けられていることが好ましい。この構成によれば、溶剤注入部１５２が器具本体３に覆われる部位に設けられているので、照明器具９Ａ，９Ｂを見た際に溶剤注入部１５２が見えることがなく、外観が損なわれないという利点がある。とくに、上述の実施形態２のように、器具本体３によってカバー１２の後面、上面及び下面が覆われている場合には、溶剤注入部１５２の配置の自由度を向上させることもできる。ただし、この構成は光源ユニット１の必須の構成ではなく、溶剤注入部１５２は器具本体３に覆われない部位に設けられていてもよい。
【００４５】
また、上述の実施形態１，２の光源ユニット１のように、カバー１２は、複数の溶剤注入部１５２を有していることが好ましい。この構成によれば、複数の溶剤注入部１５２に溶剤を注入することにより、カバー本体１４とカバーエンド１５との接合強度をさらに高めることができる。ただし、この構成は光源ユニット１の必須の構成ではなく、溶剤注入部１５２は１つであってもよい。
【００４６】
上述の実施形態１，２の照明器具９Ａ，９Ｂは、光源ユニット１と、器具本体３とを備えている。器具本体３は、取付部材１１が取り付けられることで光源ユニット１を保持する。この構成によれば、上述の光源ユニット１を備えることで、外観を損なわないようにしながらもカバー本体１４とカバーエンド１５との接合強度を高めることができる。
【００４７】
（変形例）
以下、上述の実施形態１，２の変形例について説明する。
【００４８】
上述の実施形態１，２では、カバー本体１４の左右方向（長手方向）における両端（つまり、第１端１４１及び第２端１４２）を開放させているが、少なくとも一端（第１端１４１）を開放させてあればよい。この場合には、カバーエンド１５が１つでよく、部品点数を削減することができる。
【００４９】
また、上述の実施形態１，２では、カバーエンド１５に差込部１５１と溶剤注入部１５２とを設け、カバーエンド１５の差込部１５１をカバー本体１４の内部に差し込むように構成されている。これに対して、カバー本体１４に差込部と溶剤注入部とを設け、カバー本体１４の差込部をカバーエンド１５の内部に差し込むように構成されていてもよい。
【００５０】
さらに、上述の実施形態１，２では、カバーエンド１５に差込部１５１と溶剤注入部１５２とを設けているが、溶剤注入部に注入された溶剤が差込部へと流れ込むように、溶剤注入部と差込部とが連続していればよい。したがって、例えば、カバー本体１４にカバーエンド１５を取り付けた状態において差込部１５１と対向するカバー本体１４の部位に溶剤を注入するための孔を設け、この孔を通して差込部１５１に溶剤を流し込むように構成されていてもよい。すなわち、この場合にはカバー本体１４に設けられた孔が溶剤注入部となる。
【００５１】
また、上述の実施形態１，２では、１つのカバーエンド１５に対して２つの溶剤注入部１５２が設けられているが、溶剤注入部１５２の個数は１つでもよいし、３つ以上であってもよい。
【００５２】
さらに、上述の実施形態１，２では、溶剤によってカバー本体１４及びカバーエンド１５の一部を溶融させることでカバーエンド１５をカバー本体１４に溶着するように構成されている。これに対して、例えば溶剤の代わりに粘度の低い接着剤によってカバーエンド１５をカバー本体１４に接着するように構成されていてもよい。
【００５３】
また、上述の実施形態１，２では、建物の避難経路となる階段の踊り場の壁面に設置される照明器具（いわゆる階段通路誘導灯）に本発明を適用したが、例えば室内の天井に取り付けられて室内を照明する照明器具に本発明を適用してもよい。
【符号の説明】
【００５４】
１  光源ユニット
３  器具本体
９Ａ，９Ｂ  照明器具
１０  ＬＥＤモジュール（光源）
１１  取付部材
１２  カバー
１４  カバー本体
１５  カバーエンド
１６  第１透光部（透光部）
１５１  差込部
１５２  溶剤注入部
【図１】
0006631918.tif 000002
【図２】
0006631918.tif 000003
【図３】
0006631918.tif 000004
【図４】
0006631918.tif 000005
【図５】
0006631918.tif 000006
【図６】
0006631918.tif 000007
【図７】
0006631918.tif 000008
【図８】
0006631918.tif 000009